(57)【特許請求の範囲】
【請求項１】
既存のソケット部分に撤去不能に固く接続されている撤去配管のみを切断する配管切断方法であって、ソケット部分と撤去配管の接続部に再セット可能に組み込まれる基体と、該基体に昇降動可能に取り付けられる切断用タガネと、該切断用タガネの昇降動を案内するガイドレールとを備え、基体は、上記切断用タガネを連結した押込みボルトを進退動可能に螺合するボルトガイドと、該ボルトガイドから垂下して上記ガイドレールをスライド可能に支承するサイド壁と、該サイド壁から連続して延びて内側に撤去配管の接続部を挿通して支持する配管受け座を有し、上記撤去配管のソケット部分に対する接続部を所定の長さに切断して、当該切断端を該基体の配管受け座の内側に支持しながら、基体を切断用タガネとガイドレールを伴って同接続部に組み込んだ後、上記ガイドレールと配管受け座間に挾持されている撤去配管の接続部の上面側対応部位を上から切断用タガネで押し込みながら切断し、次いで、基体を切断用タガネとガイドレールを伴って撤去配管の接続部に上下逆さまの状態となるように再組み込みした後、ガイドレールと配管受け座間に挾持されている撤去配管の接続部の下面側対応部位を下から切断用タガネで押し込みながら切断して、撤去配管の接続部をその全周に亘って既存のソケット部分から切り離すように構成したことを特徴とする配管切断方法。
【請求項２】
上記基体の配管受け座は、その下部側が撤去配管を２点支持できるＶ字形状を呈していることを特徴とする請求項１記載の配管切断方法。
【請求項３】
上記切断用タガネの先端縁は、上記ソケット部分側が先に撤去配管に食い込むテーパー形状を呈していることを特徴とする請求項１乃至請求項２のいずれかに記載の配管切断方法。
【発明の詳細な説明】
【技術分野】
【０００１】
本発明は、例えば、給水管・排水管・蒸気管・温水管などの各種配管を交換する際に使用される配管切断方法に関するものである。
【背景技術】
【０００２】
改修ビルなどの作業現場で古くなった配管を撤去して交換する場合には、既存のソケット部分を残して、古くなった撤去配管のみを新規配管に交換する訳であるが、この状態では、撤去配管とソケット部分は、内部の錆やその他の付着物又は腐食などで固く接続されているので、撤去配管をそのソケット部分から容易に取り外すことは頗る困難であった。
【０００３】
そこで、通常は、撤去配管とソケット部分の接続部にトーチやバーナーなどの熱を加えて、錆や付着物などを分解したり、又、専用の締め工具を使用しながら無理矢理に回転させたり、或いは、この専用の締め工具を使用しながら、ハンマーなどで叩きながら振動を与えて取り外していた。
【発明の概要】
【発明が解決しようとする課題】
【０００４】
しかし、トーチやバーナーを使用する場合には、改修工事現場で火災を引き起こす恐れがあり、専用の締め工具を使用する場合には、かなりの力作業が要求されることとなるが、この締め工具とハンマーを一緒に使用すると、撤去する必要のない他の既存配管が損傷して、漏れなどが生じることも多々見受けられた。
特に、狭い場所での作業が多い改修工事では、壁や床などに近いところでの作業が強いられて、作業性が悪く既存の配管を痛め、撤去の必要でない箇所まで解体しなければならないこともある。
【課題を解決するための手段】
【０００５】
本発明は、斯かる従来の実情に鑑み開発されたもので、請求項１記載の発明は、既存のソケット部分に撤去不能に固く接続されている撤去配管のみを切断する配管切断方法であって、ソケット部分と撤去配管の接続部に再セット可能に組み込まれる基体と、該基体に昇降動可能に取り付けられる切断用タガネと、該切断用タガネの昇降動を案内するガイドレールとを備え、基体は、上記切断用タガネを連結した押込みボルトを進退動可能に螺合するボルトガイドと、該ボルトガイドから垂下して上記ガイドレールをスライド可能に支承するサイド壁と、該サイド壁から連続して延びて内側に撤去配管の接続部を挿通して支持する配管受け座を有し、上記撤去配管のソケット部分に対する接続部を所定の長さに切断して、当該切断端を該基体の配管受け座の内側に支持しながら、基体を切断用タガネとガイドレールを伴って同接続部に組み込んだ後、上記ガイドレールと配管受け座間に挾持されている撤去配管の接続部の上面側対応部位を上から切断用タガネで押し込みながら切断し、次いで、基体を切断用タガネとガイドレールを伴って撤去配管の接続部に上下逆さまの状態となるように再組み込みした後、ガイドレールと配管受け座間に挾持されている撤去配管の接続部の下面側対応部位を下から切断用タガネで押し込みながら切断して、撤去配管の接続部をその全周に亘って既存のソケット部分から切り離すように構成したことを特徴とする。
【０００６】
請求項２記載の発明は、請求項１を前提として、上記基体の配管受け座は、その下部側が撤去配管を２点支持できるＶ字形状を呈していることを特徴とする。
【０００７】
請求項３記載の発明は、請求項１乃至請求項２を前提として、上記切断用タガネの先端縁は、上記ソケット部分側が先に撤去配管に食い込むテーパー形状を呈していることを特徴とする。
【発明の効果】
【０００８】
依って、請求項１記載の発明にあっては、従来のように、トーチ・バーナー・専用の締め工具やハンマーなどを使用しなくとも、基体が有する配管受け座の内側に撤去配管を挿通して、該基体を撤去配管とソケット部分の接続部に組み込んだ後、配管受け座に支持された撤去配管の接続部をガイドレールと配管受け座間で挾持しながら切断用タガネで上から切断すれば、これにより、撤去配管の接続部の上面側所定部位が簡単に切断される。
次いで、今度は、基体を撤去配管の接続部に上下逆さまの状態となるように再組み込みした後、同様に、撤去配管の接続部をガイドレールと配管受け座間で挾持しながら切断用タガネで下から切断すれば、これにより、撤去配管の接続部の下面側所定部位が簡単に切断されるので、この結果、撤去配管の接続部をその全周に亘ってソケット部分から簡単且つ完全に切り離すことが可能となる。
【０００９】
請求項２記載の発明にあっては、配管受け座の下部側がＶ字形状を呈している関係で、撤去配管をこのＶ字形状で２点支持することができるので、撤去配管の支持状態が確実となって、撤去配管の対応部位を切断用タガネで容易に切断することが可能となる。
【００１０】
請求項３記載の発明にあっては、テーパー形状の存在で、切断用タガネの先端縁が撤去配管のソケット部分側に先に食い込む関係で、ソケット部分と固く接続されている箇所を先に分離できるので、後は、撤去配管の接続部の対応部位を簡単に切断することが可能となる。
【図面の簡単な説明】
【００１１】
【図１】本発明の実施例に係る配管切断方法に供される配管切断装置を示す正面図である。
【図２】同側断面図である。
【図３】配管切断装置を撤去配管の接続部側に組み込んだ状態を示す要部正面図である。
【図４】同要部側断面図である。
【図５】撤去配管の上面側を押し込みながら切断した状態を示す要部正面図である。
【図６】同要部側断面図である。
【図７】撤去配管の下面側を押し込みながら切断した状態を示す要部正面図である。
【図８】同要部側断面図である。
【図９】撤去配管の全周をソケット部分から分離させた状態を示す要部正面図である。
【図１０】同要部側断面図である。
【発明を実施するための形態】
【００１２】
本発明は、既存のソケット部分に接続されている撤去配管のみを切断する配管切断方法を前提として、内側に撤去配管を挿通して支持する配管受け座を有する基体と、該基体に昇降動可能に取り付けられる切断用タガネと、該切断用タガネの昇降動を案内するガイドレールとを備え、上記基体の配管受け座の内側に撤去配管を支持し、該撤去配管を上記ガイドレールと配管受け座間で挾持する状態を得て、撤去配管の接続部の対応部位を上記切断用タガネで押し込みながら切断することにより、交換が必要となった古い配管を簡単にソケット部分から撤去せんとするものである。
【実施例】
【００１３】
以下、本発明を図示する好適な実施例に基づいて詳述すれば、該実施例に係る配管切断方法は、例えば、給水管・排水管・蒸気管・温水管などの各種配管（単管）を対象として開発されたもので、これらの古くなった配管を新規な配管に交換する場合に、既存のソケット部分と固く接続されている配管の接続部をソケット部分から切り離して撤去することを可能とするものである。
【００１４】
これを具体的に説明すると、当該方法に供される配管切断装置は、図１・図２に示す如く、主として、既存のソケット部分１０と撤去配管１１の接続部に組み込まれる基体１と、該基体１に昇降動可能に取り付けられる切断用タガネ２と、該切断用タガネ２の昇降動を案内する一対のガイドレール３とを備える構成となっている。
【００１５】
そして、第一の基体１は、図示する如く、押込みボルト５を進退動可能に螺合するボルトガイド４と、該ボルトガイド４の両端部から垂下する一対のサイド壁６と、該一対のサイド壁６から連続して延びて下部側がＶ字形状に連結される配管受け座７とを有し、上記ボルトガイド４に螺合する押込みボルト５は、ボルトアダプター８を介して切断用タガネ２の後端部に連結され、一対のサイド壁６は、上記一対のガイドレール３を上下動可能に取り付け、配管受け座７は、内側に撤去配管１１を挿通して支持するものであるが、そのＶ字形状で撤去配管１１を２点支持できる構成となっている。
【００１６】
第二の切断用タガネ２は、上記押込みボルト５に連結されて一対のガイドレール３間を昇降動するものであるが、その先端部は撤去配管１１を押し込みながら切断できるように先鋭形状を呈し、且つ、その先端縁は上記ソケット部分１０側が先に食い込む下り傾斜のテーパー形状２ａを呈している。
【００１７】
第三のガイドレール３は、切断用タガネ２を昇降動可能に案内するものであるが、各ガイドレール３は上記基体１の対応するサイド壁６にスライド可能に支承されて、固定ビス９によりその上下位置が自由に調整できる構成となっている。
【００１８】
依って、斯かる配管切断装置を用いて古くなった撤去配管１１を切断して撤去する場合には、まず、撤去配管１１の径に応じて、一対のガイドレール３を固定ビス９を介して予め上方へ移動させると同時に、切断用タガネ２をも押込みボルト５を介して上方へ移動させる状態にセットする一方、既存のソケット部分１０に接続されている撤去配管１１を所定の長さに切断して、その切断端を上記配管受け座７の内側に挿通して支持しながら、装置全体をソケット部分１０と撤去配管１１の接続部に組み込んだ後、一対のガイドレール３と切断用タガネ２の下降を得て、該撤去配管１１を配管受け座７と切断用タガネ２とガイドレール３間に挾持すれば、図３・図４に示す如く、ソケット部分１０に接続されている撤去配管１１の接続部の対応部位が配管受け座７にそのＶ字形状を利用して２点支持されることとなる。
【００１９】
そこで、今度は、ラチェット等の工具を用いて、押込みボルト５を所定方向に回転させると、図５・図６に示す如く、切断用タガネ２が下降して、撤去配管１１の上面側の対応部位を押し込みながら内側に巻き込むように切断することとなるので、撤去配管１１は不要に拡がることが防止される。
【００２０】
尚、この場合には、撤去配管１１の下面側が配管受け座７に２点支持されてその回転が阻止されているので、切断用タガネ２で簡単に切断できることは言うまでもないが、特に、切断用タガネ２の先端縁は既述した下り傾斜のテーパー形状２ａを呈しているので、切断用タガネ２の先がソケット部分１０側の対応部位に強く食い付いて、該ソケット部分１０と接続する撤去配管１１の接続部をソケット部分１０から即座に切り離すこととなる。
【００２１】
次いで、今度は、下降した切断用タガネ２を上昇させながら、装置全体を撤去配管１１に対して上下逆さまにして再セットすると、図７・図８に示す如く、撤去配管１１の下面側と切断用タガネ２が向き合うこととなる。
【００２２】
この状態を得た後は、再び、ラチェット等の工具を用いて、押込みボルト５を所定方向に回転させると、図９・図１０に示す如く、今度は、切断用タガネ２が上昇して、撤去配管１１の下面側の所定部位を押し込みながら内側に巻き込むように切断することとなるが、この場合も、切断用タガネ２の先端縁は下り傾斜のテーパー形状２ａを呈して、切断用タガネ２の先がソケット部分１０側に食い付いて、該ソケット部分１０と接続する撤去配管１１の接続部をソケット部分１０から切り離すこととなる。
【００２３】
従って、これにより、撤去配管１１の接続部がその全周に亘ってソケット部分１０から完全に切り離されるので、同配管１１を撤去して新規な配管を既存のソケット部分１０に接続すれば、簡単に配管の交換が可能となる。
【産業上の利用可能性】
【００２４】
本発明に係る配管切断方法は、既存のソケット部分に接続された配管の接続部を切り離すことができるので、これを利用して、給水管・排水管・蒸気管・温水管などの配管を交換する場合に使用すれば、頗る好都合なものとなる。
【符号の説明】
【００２５】
１    基体
２    切断用タガネ
２ａ  テーパー形状
３    ガイドレール
４    ボルトガイド
５    押込みボルト
６    サイド壁
７    配管受け座
８    アダプター
９    固定ビス
１０  ソケット部分
１１  撤去配管
【図１】
0005235951.tif 000002
【図２】
0005235951.tif 000003
【図３】
0005235951.tif 000004
【図４】
0005235951.tif 000005
【図５】
0005235951.tif 000006
【図６】
0005235951.tif 000007
【図７】
0005235951.tif 000008
【図８】
0005235951.tif 000009
【図９】
0005235951.tif 000010
【図１０】
0005235951.tif 000011